(57)【要約】【課題】床部の排水口周囲に水が溜まりにくい浴室用床パンを提供することを目的としている。【解決手段】床部が排水口に向かって流れ勾配を有する浴室用床パンにおいて、排水口と床部の排水口周縁部との間に傾斜角３０°〜６０°、長さ３ｍｍ以上の傾斜面を備え、傾斜面が２０μｍ〜７０μｍの深さの凹凸を有する梨子地面になっていることを特徴としている。【選択図】      図３
2004332414.tif 000002
【特許請求の範囲】
【請求項１】
床部が排水口に向かって流れ勾配を有する浴室用床パンにおいて、排水口と床部の排水口周縁部との間に傾斜角３０°〜６０°、長さ３ｍｍ以上の傾斜面を備えていることを特徴とする浴室用床パン。
【請求項２】
傾斜面が２０μｍ〜７０μｍの深さの凹凸を有する梨子地面になっている請求項１に記載の浴室用床パン。
【請求項３】
傾斜面と排水口上端との境界部、および、傾斜面と床部の排水口周縁部の勾配下端と境界部が２〜１０Ｒの曲面になっている請求項１または請求項２に記載の浴室用床パン。
【発明の詳細な説明】
【０００１】
【発明の属する技術分野】
本発明は、浴室用床パンに関する。
【０００２】
【従来の技術】
近年、浴室はユニットバスが主流となっているが、このユニットバスにおいては、洗い場や浴槽受け部が繊維強化プラスチック（ＦＲＰ）等の樹脂製の床パンを用いて形成されている。
このような床パンのうち、洗い場床を構成する床パンにおいては、床部が床パンの位置一部に設けられた排水口に向かって流れ勾配を備え、床部に落ちた洗い水等がスムーズに排水されるようになっている。
【０００３】
また、従来の床バンにおいては、図４に示すように、床部１００の表面が、割石、岩肌、タイル調といったスベリ止め効果をもたせた凹凸形状部１１０と、この凹凸形状部１１０を区切りデザイン的にめりはりを付けるとともに排水性を向上するため等に設けられた目地部１２０とにより形成されているものもある。
しかし、従来の床パンの場合、床部に落ちた水は、流れが切れると表面張力によって床面上で島状にどうしても残る。従って、島状に残った水によって水膜ができ、床面に滑り止め加工が施されてあっても滑ることを完全に防止できない。また、ホテルなどの宿泊設備等では、清掃後に残った水分を拭き取らなければならないが、上記のように床面に水が島状に溜まった状態であると拭き取り作業に非常に時間がかかるという問題がある。
【０００４】
そこで、さらに床面の排水性をよくするために、凹凸形状部１１０と目地部１２０との間に連続する流路を設けるとともに、この流路上に水玉の表面張力を破壊する凹凸を設けるようにした床パンが提案されている（特許文献１等参照）。
【０００５】
しかしながら、上記床パンのような構造としても、図５に示すように、排水口２００の周縁部にどうしても水３００が溜まったまま残るという問題があった。すなわち、従来の床パンの場合、床部１００の排水口周縁２１０が２〜１０Ｒ程度の曲面となっているものの、床部１００の流れ勾配に沿って排水口２００側に流れてきた水３００は、略垂直に排水口２００に流れ込むようになっているので、流量が少なくなってくると、水３００が排水口２００の周縁で途切れ、床部１００側の水にかかる重力が水の表面張力より小さくなって、図４に示すように、排水口２００の周縁部に残ってしまう。
【０００６】
【特許文献１】
特開２００３−２７７１７号公報
【０００７】
【発明が解決しようとする課題】
本発明は、上記事情に鑑みて、床部の排水口周囲に水が溜まりにくい浴室用床パンを提供することを目的としている。
【０００８】
【課題を解決するための手段】
上記目的を達成するために、本発明の請求項１に記載の浴室用床パン（以下、「請求項１の床パン」と記す）は、床部が排水口に向かって流れ勾配を有する浴室用床パンにおいて、排水口と床部の排水口周縁部との間に傾斜角３０°〜６０°、長さ３ｍｍ以上の傾斜面を備えていることを特徴としている。
【０００９】
本発明の請求項２に記載の浴室用床パン（以下、「請求項２の床パン」と記す）は、請求項１の床パンにおいて、傾斜面が２０μｍ〜７０μｍの深さの凹凸を有する梨子地面になっていることを特徴としている。
【００１０】
本発明の請求項３に記載の浴室用床パン（以下、「請求項３の床パン」と記す）は、請求項１または請求項２の床パンにおいて、傾斜面と排水口上端との境界部、および、傾斜面と床部の排水口周縁部の勾配下端と境界部が２〜１０Ｒの曲面になっていることを特徴としている。
【００１１】
本発明において、床部の流れ勾配は、特に限定されないが、１〜３°程度が好ましい。すなわち、１°未満では水が溜まりやすくなり、３°を超えると、入浴者等が滑ってけがをしたりする恐れがある。
傾斜面の傾斜角は、３０°〜６０°に限定されるが、その理由は、傾斜角が３０°未満では、表面張力の方が大きくなり残ってしまい、６０°を超えると排水量が少なくなると、傾斜面の上流から流れてきた水が傾斜面の部分で切れてしまい、床部の傾斜面と界面部分で水が溜まってしまうためである。
【００１２】
また、傾斜面の長さは、３ｍｍ以上に限定されるが、その理由は３ｍｍ未満では傾斜面を設けた効果がなくなるためである。また、傾斜面の長さの上限はないが、あまり長くすると、無駄であり却って傾斜面で足を滑らせたりする恐れがあるので、１０ｍｍ以下が好ましい。
さらに、傾斜面の表面張力を下げて、より排水性をよくするために、請求項２の床パンのように、傾斜面を２０μｍ〜７０μｍの深さの凹凸を有する梨子地面にすることが好ましい。なお、２０μｍ未満では表面張力の低減効果が少なく７０μｍを超えると汚れが付着しやすくなる。
【００１３】
梨子地の形成方法は、特に限定されないが、たとえば、金型の型面にケミカルエッチング、ガラスビーズブラスト処理、サンドブラスト処理、ホーニング処理等によって梨子地の反転模様の凹凸を設けて、床パン成形と同時に形成する方法が好ましい。
【００１４】
【発明の実施の形態】
以下に、本発明を、その実施の形態をあらわす図面を参照しつつ詳しく説明する。
図１〜図３は、本発明にかかる浴室用床パンの１つの実施の形態をあらわしている。
【００１５】
図１および図２に示すように、この浴室用床パン１は、浴室の洗い場のみを形成するようになっていて、床部２と排水口３とを備えている。
床部２は、排水口３に向かって１°〜３°程度の流れ勾配を有し、目地部２１によって区切られた複煤の床面構成部２２から形成されている。
【００１６】
排水口３の周縁には、図３に示すように、傾斜角３０°〜６０°、長さ３ｍｍ以上の傾斜面４が設けられている。
傾斜面４と排水口３との境界部５および傾斜面４と目地部２１の境界部６は２〜１０Ｒの曲面になっている。
【００１７】
また、傾斜面４および目地部２１は、その境界部６も含めてその表面が２０μｍ〜７０μｍの深さの凹凸を有する梨子地面になっている。
【００１８】
この床パン１は、以上のように、傾斜面４が設けられているので、床部２を流れる水の流量が減った場合も、水が切れず繋がった状態で排水口３に流れ込む。したがって、排水口３周縁に残る水の量が極めて少なくなり、床部の乾燥が速くなるとともに、残水の拭き取り作業等も容易になる。
【００１９】
また、傾斜面４および目地部２１が２０μｍ〜７０μｍの深さの凹凸を有する梨子地面になっているので、水の表面張力が小さくなり、より排水性がよくなる。
さらに、傾斜面４と排水口３との境界部５および傾斜面４と目地部２１の境界部６が、２〜１０Ｒの曲面になっているので、境界部５および境界部６で水が切れたりすることがすくなくなり、より排水性がよくなる。
【００２０】
本発明にかかる浴室用床パンは、上記の実施の形態に限定されない。たとえば、上記の実施の形態では床パンが、洗い場部のみを形成するようになっていたが、浴槽受け部が一体になったものでも構わない。
上記の実施の形態では、床部に目地部が設けられていたが、目地部がなくても構わない。
【００２１】
【実施例】
以下に、本発明の具体的な実施例を説明する。
【００２２】
（実施例１，２、比較例１）
不飽和ポリエテル、ガラス繊維、無機充填材を主に含むＦＲＰ製で、床面部が約１０００×１６００ｍｍの床パンで表１に示す条件でそれぞれ排水口周縁部の６０分後の残水量を調べ、その結果を表１に示した。
【００２３】
【表１】
2004332414.tif 000003
【００２４】
上記表１から本発明の床パンのようにすれば、排水口の周縁部分での残水が少なくなり、排水性がよくなることが判る。また、梨子地加工を施せばより排水性がよくなることがわかる。
【００２５】
また、梨子地の梨子地深さを変化させ、梨子地深さによる水の接触角と、汚染回復率を調べ、その結果を表２に示した。
なお、接触角は液滴法を用いて測定した。また、方を汚染回復率は、カーボンブラック付着２４時間後に５％中性洗剤により洗い落とした後のＹ値の回復率で示した。
【００２６】
【表２】
2004332414.tif 000004
【００２７】
上記表２からせ梨子地深さを３０μｍ〜７０μｍにすれば、水の接触角が小さく水が流れ落ちやすくなるとともに、汚染回復率も９０％以上と良好であることがわかる。
【００２８】
【発明の効果】
本発明にかかる浴室用床パンは、以上のように構成されているので、排水口周囲の水切れ性に優れている。したがって、
また、請求項２または請求項３の床パンのようにすれば、より水切れ性がよくなる。
【図面の簡単な説明】
【図１】本発明にかかる浴室用床パンの１つの実施の形態をあらわす平面図である。
【図２】図１のＸ−Ｘ線断面図である。
【図３】図２の要部拡大図である。
【図４】従来の浴室用床パンの１例をあらわす平面図である。
【図５】図４の排水口部分の拡大断面図である。
【符号の説明】
１  浴室用床パン
２  床部
３  排水口
４  傾斜面
５  境界部
６  境界部
【図１】
2004332414.tif 000005
【図２】
2004332414.tif 000006
【図３】
2004332414.tif 000007
【図４】
2004332414.tif 000008
【図５】
2004332414.tif 000009